(57)【要約】【課題】使用者が画面上に描画データを作成する際に、使用者が選択する色が、何れの画像再現装置または画像再現装置の使用条件に適合しているかの確認を容易にし、その使用条件に合致した描画データを容易に作成できるようにする。【解決手段】ＲＯＭに格納されたプリンタ毎またはプリンタの使用条件毎にカラーテーブル４１上で画像再現装置が再現できる色と再現できない色とを識別するための識別情報に基づいて、画面上にて画像を描画する際に意図する色を選択するためのカラーテーブル４１を表示し、その際、複数の色４５の中から、マウスの操作により移動するポインタ４２が重ねられた色４４について、プリンタ毎またはプリンタの使用条件毎に印刷可能か否かの再現情報４３を識別可能に表示する。カラーテーブル４１であれば、使用者が選択する色が、何れの使用条件で色再現可能かを表示できるので、使用者は描画データを容易に作成することができる。【選択図】  図６
2004287762.tif 000002
【特許請求の範囲】
【請求項１】
使用者が、操作により描画装置の画面上にて画像を描画する際に、複数の色の中から意図する色を選択するためのカラーテーブルを表示する方法であって、
使用者が描画した画像を再現するための画像再現装置毎または該画像再現装置の使用条件毎に、前記カラーテーブル上で該画像再現装置が再現できる色と再現できない色とを識別するための識別情報を記憶手段に記憶しておき、
前記描画装置の画面上に、前記カラーテーブルを表示する際には、前記記憶手段に記憶された識別情報に基づいて、前記複数の画像再現装置または該画像再現装置の複数の使用条件下で再現可能な色を識別可能に、前記カラーテーブルを表示すること
を特徴とするカラーテーブル表示方法。
【請求項２】
前記画像再現装置は、画像形成装置であって、
前記記憶手段には、各画像形成装置毎に対応させて識別情報を記憶させること
を特徴とする請求項１に記載のカラーテーブル表示方法。
【請求項３】
前記画像再現装置は、記録媒体に画像を形成する画像形成装置であって、
前記記憶手段には、少なくとも異なる種類の記録媒体毎に識別情報を記憶させること
を特徴とする請求項１または請求項２に記載のカラーテーブル表示方法。
【請求項４】
前記記憶手段には、少なくとも白色の記録媒体に画像形成した際の識別情報を記憶させることを特徴とする請求項２または請求項３に記載のカラーテーブル表示方法。
【請求項５】
前記記憶手段には、少なくとも布の記録媒体に画像形成した際の識別情報を記憶させることを特徴とする請求項２〜請求項４の何れかに記載のカラーテーブル表示方法。
【請求項６】
使用者は、前記画像再現装置毎または前記画像再現装置の使用条件を選択可能であって、
前記描画装置の画面上に、前記カラーテーブルを表示する際には、前記使用者が選択した、前記画像再現装置または前記画像再現装置の使用条件に対応した識別情報に基づいて、再現可能な色を識別可能に、前記カラーテーブルを表示すること
を特徴とする請求項１〜請求項５の何れかに記載のカラーテーブル表示方法。
【請求項７】
前記描画装置の画面に表示されたカラーテーブル上にて、使用者が色選択のために指定した色に対して、前記画像再現装置で再現可能な色を識別可能に表示することを特徴とする請求項１〜請求項６の何れかに記載のカラーテーブル表示方法。
【請求項８】
前記描画装置の画面上において、使用者の操作により移動するマークが重ねられた色のみに対して、前記画像再現装置で再現可能な色を識別可能に表示することを特徴とする請求項７に記載のカラーテーブル表示方法。
【請求項９】
使用者が、操作により描画装置の画面上にて画像を描画する際に、複数の色の中から意図する色を選択するためのカラーテーブルを表示するカラーテーブル表示装置であって、
使用者が描画した画像を再現するための画像再現装置毎または該画像再現装置の使用条件毎に、前記カラーテーブル上で該画像再現装置が再現できる色と再現できない色とを識別するための識別情報が予め記憶された記憶手段と、
前記記憶手段に記憶された識別情報に基づいて、前記複数の画像再現装置または前記画像再現装置の複数の使用条件下で再現可能な色を識別可能に、前記カラーテーブルを前記描画装置の画面上に表示するカラーテーブル表示手段と、
を備えたことを特徴とするカラーテーブル表示装置。
【請求項１０】
前記画像再現装置は、画像形成装置であって、
前記記憶手段には、各画像形成装置毎に対応させて識別情報が記憶されていること
を特徴とする請求項９に記載のカラーテーブル表示装置。
【請求項１１】
前記画像再現装置は、記録媒体に画像を形成する画像形成装置であって、
前記記憶手段には、少なくとも異なる種類の記録媒体毎に識別情報が記憶されていること
を特徴とする請求項９または請求項１０に記載のカラーテーブル表示装置。
【請求項１２】
前記記憶手段には、少なくとも白色の記録媒体に画像形成した際の識別情報が記憶されていることを特徴とする請求項１０または請求項１１に記載のカラーテーブル表示装置。
【請求項１３】
前記記憶手段には、少なくとも布の記録媒体に画像形成した際の識別情報が記憶されていることを特徴とする請求項１０〜請求項１２の何れかに記載のカラーテーブル表示装置。
【請求項１４】
前記カラーテーブル表示手段は、
使用者の操作により、前記画像再現装置毎または前記画像再現装置の使用条件を選択可能であって、
前記描画装置の画面上に、前記カラーテーブルを表示する際には、前記使用者が選択した、前記画像再現装置または前記画像再現装置の使用条件に対応した識別情報に基づいて、再現可能な色を識別可能に、前記カラーテーブルを表示すること
を特徴とする請求項９〜請求項１３の何れかに記載のカラーテーブル表示装置。
【請求項１５】
前記カラーテーブル表示手段は、前記描画装置の画面に表示されたカラーテーブル上にて、使用者が色選択のために指定した色に対して、前記画像再現装置で再現可能な色を識別可能に表示することを特徴とする請求項９〜請求項１４の何れかに記載のカラーテーブル表示装置。
【請求項１６】
前記カラーテーブル表示手段は、前記描画装置の画面上において、前記使用者の操作により移動するマークが重ねられた色のみに対して、前記画像再現装置で再現可能な色を識別可能に表示することを特徴とする請求項１５に記載のカラーテーブル表示装置。
【請求項１７】
請求項９〜請求項１６の何れかに記載のカラーテーブル表示手段としての機能をコンピュータにて実現するためのカラーテーブル表示プログラム。
【発明の詳細な説明】
【０００１】
【発明の属する技術分野】
本発明は、画面上で描画データの作成を行う際に、使用者が意図する色を選択するためのカラーテーブルを表示する、カラーテーブル表示方法、カラーテーブル表示装置、およびカラーテーブル表示プログラムに関する。
【０００２】
【従来の技術】
従来より、使用者がキーボードやマウス等を用いて、コンピュータの画面上に画像を描画するために使用するツールとして、複数の色の中から使用者が意図する色を選択するためのカラーテーブルを備えた描画ツールが知られている（例えば、非特許文献１参照）。
【０００３】
この描画ツールを使用すれば、使用者は画面上で好みの色を容易に選択することができるので、描画の効率を向上することができる。また、使用する色が画像形成装置により色再現可能な色域に属しているか否かを表示させることができる。
【０００４】
また、カラーテーブルを表示しなくても、色の成分を３つのパラメータを用いて表現し、その３つのパラメータで表現される仮想立体空間において、画像再現装置（ＣＲＴ等の表示装置やプリンタ）が色再現可能な領域を示す領域（以下、色域という。）を断面図に重ねて表示させる方法が知られている（例えば、特許文献１参照）。
【０００５】
このように色域を表示する装置を使用しても、ＣＲＴ等の表示装置の色域と、プリンタの色域とを比較して表示することができるので、使用者は色域の違いが確認でき、表示装置に表示された色の内、プリンタにより色再現可能な色を把握することができる。
【０００６】
【特許文献１】
特開平８−０３０７７１号公報
【０００７】
【非特許文献１】
Ａｄｏｂｅ（登録商標）社製、ＰｈｏｔｏＳｈｏｐ（登録商標）７．０
日本語版ユーザガイド  第８章  ペイント
【０００８】
【発明が解決しようとする課題】
しかしながら、上記の技術を備えた装置を用いて描画データを作成する際には、同時に複数の画像再現装置（表示装置やプリンタ等）により色再現可能か否かを表示することは困難であるため、複数の画像再現装置の特性を見ながら描画データを作成することができなかった。
【０００９】
また、ある画像再現装置では色再現可能であって、且つ、他のある画像再現装置では色再現可能ではない色を、使用者が意図的に選択して描画データを作成したい場合には、それぞれの画像再現装置が色再現可能か否かを確認しながら、使用する色をカラ―テーブルの中から１色ずつ選択する必要があるため、面倒であった。
【００１０】
そこで、このような問題点を鑑み、使用者が画面上に描画データを作成する際に、使用者が選択する色が、何れの画像再現装置または画像再現装置の使用条件に適合しているかの確認を容易にし、その使用条件に合致した描画データを容易に作成できるようにすることを本発明の目的とする。
【００１１】
【課題を解決するための手段および発明の効果】
かかる目的を達成するために成された、請求項１に記載の発明は、使用者が、操作により描画装置の画面上にて画像を描画する際に、複数の色の中から意図する色を選択するためのカラーテーブルを表示する方法であって、使用者が描画した画像を再現するための画像再現装置毎または該画像再現装置の使用条件毎に、前記カラーテーブル上で該画像再現装置が再現できる色と再現できない色とを識別するための識別情報を記憶手段に記憶しておき、前記描画装置の画面上に、前記カラーテーブルを表示する際には、前記記憶手段に記憶された識別情報に基づいて、前記複数の画像再現装置または該画像再現装置の複数の使用条件下で再現可能な色を識別可能に、前記カラーテーブルを表示することを特徴としている。
【００１２】
つまり、使用する画像再現装置、または画像再現装置の使用条件により、再現可能な色が異なるため、本発明では、記憶手段に格納された識別情報に基づいて、複数の画像再現装置または画像再現装置の複数の使用条件下で再現可能な色を識別可能に、カラーテーブルを表示するようにしているのである。
【００１３】
この方法により表示されたカラーテーブルであれば、使用者が選択する色が、何れの画像再現装置または画像再現装置の使用条件（以下、まとめて「使用条件」という。）で色再現可能であるかを表示するので、使用者は容易に描画データ作成を行うことができる。
【００１４】
また、この方法により表示されたカラーテーブルであれば、使用者が選択する色が何れの使用条件に対応しているのかを明確にできるので、描画したデータに使用された色が画像再現装置で色再現される際に、色再現できなくなることを防止することができる。
【００１５】
更に、使用者は、ある使用条件でのみ再現可能な色を選択することが容易になり、ある使用条件の特性を活かした画像データの作成が可能になる。
また、請求項２に記載のように、使用者が作成した描画データを再現する画像再現装置は画像形成装置であって、記憶手段には、各画像形成装置毎に対応させて識別情報を記憶させることが好ましい。
【００１６】
つまり、画像形成装置が異なれば、色域（画像再現装置が色再現可能な領域）が異なるため、記憶手段には画像形成装置毎に対応させて識別情報を記憶させるようにしているのである。
この方法により表示されたカラーテーブルを用いれば、使用者は、使用者が選択する色に応じて、その色を再現可能な画像形成装置を容易に選択することができる。
【００１７】
更に、画像再現装置は、ディスプレイ等の表示装置であってもよいが、請求項３に記載のように、記録媒体に画像を形成する画像形成装置であってもよく、この場合、記憶手段には少なくとも異なる種類の記録媒体毎に識別情報を記憶させることが好ましい。
【００１８】
つまり、記録媒体が異なれば、色域が異なるため、記憶手段には少なくとも記録媒体毎に識別情報を記憶させるようにしているのである。
この方法により表示されたカラーテーブルを用いれば、使用者は、使用者が選択する色に応じて、その色を再現可能な記録媒体を容易に選択することができる。
【００１９】
また、請求項２または請求項３に記載のカラーテーブル表示方法において、請求項４に記載のように、記憶手段には、少なくとも白色の記録媒体に画像形成した際の識別情報を記憶させることが望ましい。
白色の記録媒体は、最も色域が広く、一般的に使用頻度が高いので、本発明（請求項４）のようにすれば、記憶手段に格納した識別情報を有効に使用することができる。
【００２０】
ここで、本発明（請求項４）の具体例としては、画像形成装置が、異なる色の記憶媒体に画像形成する場合を想定し、例えば、記憶手段には、白色の記録媒体に画像形成した際の識別情報と、黄色の記録媒体に画像形成した際の識別情報とを記憶させることが考えられ、この識別情報に基づいてカラーテーブルを表示させれば、使用者は画像形成する際の下地となる記録媒体の色の特性を活かした画像データの作成が可能になる。
【００２１】
更に、請求項２〜請求項４の何れかに記載のカラーテーブル表示方法において、請求項５に記載のように、記憶手段には、少なくとも布の記録媒体に画像形成した際の識別情報を記憶させてもよい。
記録媒体が布の場合は、記録媒体が用紙等の場合とは色域が異なるため、布に画像形成する場合には、布に対応した識別情報を記憶させておけば、忠実に色再現できるカラーテーブルを表示することができる。
【００２２】
また、カラーテーブルを表示する際には、記憶手段に格納された使用条件に対応した情報を全て表示させてもよいが、請求項６に記載のように、使用者が選択した、画像再現装置または画像再現装置の使用条件に対応した識別情報に基づいて、再現可能な色を識別可能に、カラーテーブルを表示することが好ましい。
【００２３】
この方法により表示されたカラーテーブルであれば、必要とする情報のみを選択的に画面上に表示するので、使用者が描画データを作成する際の使い勝手を向上させることができる。
更に、カラーテーブルを表示する際には、使用者により選択可能な全ての色に対して色再現可能か否かを同時に表示してもよいが、請求項７に記載のように、使用者が色選択のために指定した色のみに対して、色再現可能か否かを表示してもよい。
【００２４】
この方法により表示されたカラーテーブルであれば、使用者が指定した色が、何れの使用条件で色再現可能かが明確になるので、使用者は描画データの作成が容易になる。
加えて、請求項７に記載のカラーテーブル表示方法において、請求項８に記載のように、使用者の操作により移動するマークが重ねられた色のみに対して、画像再現装置で再現可能な色を識別可能に表示することが好ましい。
【００２５】
この方法により表示されたカラーテーブルであれば、使用者が描画データ作成のために選択する色が、何れの使用条件で色再現可能か否かを明確に表示できるので、使用者が描画データを作成する際の使い勝手が向上する。
次に、請求項９に記載の発明は、使用者が、操作により描画装置の画面上にて画像を描画する際に、複数の色の中から意図する色を選択するためのカラーテーブルを表示するカラーテーブル表示装置であって、使用者が描画した画像を再現するための画像再現装置毎または該画像再現装置の使用条件毎に、前記カラーテーブル上で該画像再現装置が再現できる色と再現できない色とを識別するための識別情報が予め記憶された記憶手段と、前記記憶手段に記憶された識別情報に基づいて、前記複数の画像再現装置または前記画像再現装置の複数の使用条件下で再現可能な色を識別可能に、前記カラーテーブルを前記描画装置の画面上に表示するカラーテーブル表示手段と、を備えたことを特徴としている。
【００２６】
つまり、使用する画像再現装置、または画像再現装置の使用条件により、色域が異なるため、本発明（請求項９）のカラーテーブル表示装置では、記憶手段に格納された識別情報に基づいて、カラーテーブル表示手段は、複数の画像再現装置または画像再現装置の複数の使用条件下で再現可能な色を識別可能に、カラーテーブルを表示するようにしているのである。
【００２７】
このカラーテーブル表示装置により表示されたカラーテーブルであれば、使用者が選択する色が、何れの使用条件で色再現可能かを表示するので、使用者は容易に描画データ作成を行うことができる。
また、このカラーテーブル表示装置により表示されたカラーテーブルであれば、使用者が選択する色が何れの使用条件に対応しているのかを明確にできるので、描画したデータに使用された色が画像再現装置で色再現される際に、色再現できなくなることを防止することができる。
【００２８】
更に、使用者は、ある使用条件でのみ再現可能な色を選択することが容易になり、ある使用条件の特性を活かした画像データの作成が可能になる。
また、請求項９に記載のカラーテーブル表示装置において、請求項１０に記載のように、使用者が作成した描画データを再現する画像再現装置は画像形成装置であって、記憶手段には、各画像形成装置毎に対応させて識別情報が記憶されていることが好ましい。
【００２９】
つまり、画像形成装置が異なれば色域が異なるため、記憶手段には、予め画像形成装置毎に対応させた識別情報が記憶されているのである。
このカラーテーブル表示装置により表示されたカラーテーブルを用いれば、使用者は、使用者が選択する色に応じて、その色を再現可能な画像形成装置を容易に選択することができる。
【００３０】
更に、請求項９または請求項１０に記載のカラーテーブル表示装置において、画像再現装置は、ディスプレイ等の表示装置であってもよいが、請求項１１に記載のように、記録媒体に画像を形成する画像形成装置であってもよく、この場合、記憶手段には、少なくとも異なる種類の記録媒体毎に識別情報が記憶されていることが好ましい。
【００３１】
つまり、記録媒体が異なれば色域が異なるため、記憶手段には少なくとも記録媒体毎に識別情報が記憶されているのである。
このカラーテーブル表示装置により表示されたカラーテーブルを用いれば、使用者は、使用者が選択する色に応じて、その色を再現可能な記録媒体を容易に選択することができる。
【００３２】
また、請求項１０または請求項１１に記載のカラーテーブル表示装置において、請求項１２に記載のように、記憶手段には、少なくとも白色の記録媒体に画像形成した際の識別情報が記憶されていることが望ましい。
白色の記録媒体は、最も色域が広く、一般的に使用頻度が高いので、本発明（請求項１２）のようにすれば、記憶手段に格納した識別情報を有効に使用することができる。
【００３３】
ここで、本発明（請求項１２）の具体例としては、画像形成装置が、異なる色の記憶媒体に画像形成する場合を想定し、例えば、記憶手段には、白色の記録媒体に画像形成した際の識別情報と、黄色の記録媒体に画像形成した際の識別情報とが記憶されていることが考えられ、この識別情報に基づいてカラーテーブルを表示させれば、使用者は画像形成する際の下地となる記録媒体の色の特性を活かした画像データの作成が可能になる。
【００３４】
更に、請求項１０〜請求項１２の何れかに記載のカラーテーブル表示装置において、請求項１３に記載のように、記憶手段には、少なくとも布の記録媒体に画像形成した際の識別情報が記憶されていてもよい。
記録媒体が布の場合は、記録媒体が用紙等の場合とは色域が異なるため、布に画像形成する場合には、布に対応した識別情報が記憶されていれば、忠実に色再現できるカラーテーブルを表示することができる。
【００３５】
また、請求項９〜請求項１３に記載のカラーテーブル表示装置において、カラーテーブルを表示する際には、記憶手段に格納された使用条件に対応した情報を全て表示させてもよいが、請求項１４に記載のように、使用者が選択した、画像再現装置または画像再現装置の使用条件に対応した識別情報に基づいて、再現可能な色を識別可能に、カラーテーブルを表示することが好ましい。
【００３６】
このカラーテーブル表示装置により表示されたカラーテーブルであれば、必要とする情報のみを選択的に画面上に表示するので、使用者が描画データを作成する際の使い勝手を向上させることができる。
更に、請求項９〜請求項１４に記載のカラーテーブル表示装置において、カラーテーブルを表示する際に、カラーテーブル表示手段は、使用者により選択可能な全ての色に対して色再現可能か否かを同時に表示してもよいが、請求項１５に記載のように、使用者が色選択のために指定した色のみに対して、色再現可能か否かを表示してもよい。
【００３７】
このカラーテーブル表示装置により表示されたカラーテーブルであれば、使用者が指定した色が、何れの使用条件で色再現可能かが明確になるので、使用者は描画データの作成が容易になる。
加えて、請求項１５に記載のカラーテーブル表示方法において、請求項１６に記載のように、カラーテーブル表示手段は、使用者の操作により移動するマークが重ねられた色のみに対して、画像再現装置で再現可能な色を識別可能に表示することが好ましい。
【００３８】
このカラーテーブル表示装置により表示されたカラーテーブルであれば、使用者が描画データ作成のために選択する色が、何れの使用条件で色再現可能か否かを明確に表示できるので、使用者が描画データを作成する際の使い勝手が向上する。
【００３９】
次に、請求項１７に記載のカラーテーブル表示プログラムは、請求項９〜請求項１６の何れかに記載のカラーテーブル表示手段としての機能をコンピュータにて実現することを特徴としている。
このようなカラーテーブル表示プログラムであれば、記憶手段に格納された識別情報に基づいて、複数の画像再現装置または画像再現装置の複数の使用条件下で再現可能な色を識別可能に、カラーテーブルを表示することができる。
【００４０】
【発明の実施の形態】
以下に本発明にかかる実施の形態を図面と共に説明する。
〔実施例１〕
図１には、本実施例（実施例１）のカラーテーブル表示装置１の概略構成を示すブロック図を示す。
【００４１】
図１に示すように、カラーテーブル表示装置１には、ＣＰＵ１１と、ＲＯＭ１２と、ＲＡＭ１３と、入出力インターフェイス１４と、から構成されており、キーボード１５、マウス１６、ディスプレイ１７、用紙（本発明でいう記録媒体）に対して画像形成可能なＡプリンタ１８（本発明でいう画像形成装置）、用紙および布（本発明でいう記録媒体）に対して画像形成可能なＢプリンタ１９（本発明でいう画像形成装置）等が入出力インターフェイス１４に接続されている。
【００４２】
ＣＰＵ１１は、ＲＯＭ１２に格納されたプログラムと、キーボード１５、およびマウス１６からの入力信号とに基づいて各種処理を行い、ディスプレイ１７に各種情報を表示させる。
ＲＯＭ１２には、前述のＣＰＵ１１を駆動させるプログラムと、後述する識別情報と、が格納されている。
【００４３】
ここで、識別情報は、プリンタの種類、またはプリンタの使用条件、或いは、プリンタの種類およびプリンタの使用条件（本発明でいう、画像再現装置または画像再現装置の使用条件）により決定される再現可能な色を識別するためのものであり、予めＲＯＭ１２内に格納されている。
【００４４】
この識別情報の作成は、例えば図２に示すような手順で行われる。図２は、使用するプリンタや、プリンタの使用条件に対応する識別情報を求める手順の一例を示すフローチャートである。
図２において、Ｓ１０１では、Ａプリンタ１８が有するインク（ここではＹ：イエロー、Ｃ：シアン、Ｍ：マゼンタ、Ｋ：ブラックの４色とする。）を組み合わせて出力できる色を白色の用紙に印刷してゆく。この際、出力できる全ての色の組み合わせを印刷してもよいが、ここでは、例えば、各色９階調ずつ、合計６５６１通りの色を印刷する。
【００４５】
次に、Ｓ１０２に移行し、データベースを作成できる装置において、印刷した各色を、測色計（例えば、分光測色計、横河Ｍ＆Ｃ製、ＣＤ１００）にて測色を行う。
ここで、測色を行う際の測色値には知覚的に均等な表示系として、国際照明委員会が勧告したＣＩＥ１９７６（Ｌ＊ａ＊ｂ＊（明度Ｌ＊、および２つの輝度ａ＊ｂ＊から色を決定する））表示系を用いる。
【００４６】
また、測色の際には、各色のインク量（インクの調合量：ＹＣＭＫ表示系）と関連付けながら、印刷された各色について、Ｌ＊ａ＊ｂ＊表示系で表現される座標をデータベース作成装置に記憶させる。
つまり、ここでは、各色のインク量（ＹＣＭＫ表示系）と、測色値（Ｌ＊ａ＊ｂ＊表示系）とを関連付けているのである。
【００４７】
次に、Ｓ１０３では、予めディスプレイ１７の表示色（ＲＧＢ表示系）と、知覚的に均等な表示系（Ｌ＊ａ＊ｂ＊表示系）とが関連付けられたカラーテーブルの各色について、Ａプリンタ１８が白色の用紙に印刷する際の色域（仮想立体空間において画像再現装置が色再現可能な領域）内に入っているか否かを判定する。この際、色域内に入っているか否かは、カラーテーブルに表示する各色（以下、表示色という）のＬ＊ａ＊ｂ＊表示系での座標と、データベース作成装置に記憶された測色値のＬ＊ａ＊ｂ＊表示系での座標との距離に基づいて判定し、この表示色の座標に最も接近している測色値の座標と、表示色の座標とが一定距離以内ならば、色域内に入っていると判定する。
【００４８】
このようにして、カラーテーブルに表示する各色（表示色）について、色域内に入っているか否かの設定を行い、ひとつの識別情報が出来上がる。
以下、同様にして、例えば、Ａプリンタ１８が黄色の用紙に印刷した場合、Ｂプリンタ１９が白色の布に印刷した場合、等の識別情報を作成し、それらの識別情報がＲＯＭ１２に格納されている。
【００４９】
次に、このようにしてＲＯＭ１２に格納された識別情報に基づいて、カラーテーブルを表示する処理について図３を用いて説明する。図３は、ＣＰＵ１１が行うカラーテーブル表示処理を示すフローチャートである。尚、図３に示すカラーテーブル表示処理は、本発明でいうカラーテーブル表示手段、およびカラーテーブル表示プログラムに該当する。
【００５０】
図３のＳ１５１では、使用者がカラーテーブルに表示する色再現可能か否かの情報の基となるプリンタおよび記録媒体を設定したか否かを判定する。この際、ディスプレイ１７には、図４に示すように、プリンタ名とそのプリンタにより画像形成される記録媒体（用紙（白色、黄色）、布（白色）等）とを選択可能なように一覧表示されており、使用者はキーボード１５およびマウス１６等の操作により、プリンタ名と記録媒体とを選択することができる。また、使用者が使用条件を選択し易いように、選択する使用条件を反転表示してもよい（図４参照）。
【００５１】
図３のＳ１５１にて、使用者がプリンタおよび記録媒体を設定したと判定すると（Ｓ１５１：ＹＥＳ）、Ｓ１５２に進み、使用者がプリンタおよび記録媒体を設定していないと判定すると（Ｓ１５１：ＮＯ）、使用者がプリンタおよび記録媒体を設定するまでＳ１５１を繰り返す。
【００５２】
Ｓ１５２では、使用者による設定をＲＡＭ１３に保存し、Ｓ１５３に進む。
Ｓ１５３では、使用者がカラーテーブルに表示しようとする色再現可能か否かの情報の基となる使用条件の設定（プリンタおよび記録媒体の設定）の全てが成されたか否かを判定する。ここでは、ディスプレイ１７上で、使用者が「継続」または「終了」のボタンをマウス１６の操作によりクリックする等の特定の操作を判定することにより行われる。
【００５３】
図３のＳ１５３にて、使用者により、使用条件の設定の全てが成されたと判定すれば（Ｓ１５３：ＹＥＳ）、Ｓ１５５に進む。また、使用者により、使用条件の設定の全ては成されていないと判定すれば（Ｓ１５３：ＮＯ）、Ｓ１５１に戻り、他の使用条件を追加する設定を行う。
【００５４】
Ｓ１５５では、ＲＡＭ１３に保存された設定と、ＲＯＭ１２に格納された識別情報とに基づいて、カラーテーブルと、色域３３Ａ〜Ｃ（図５参照）とを表示し、終了する。
ここで、図３のＳ１５５では、例えば、図５に示すように、ディスプレイ１７上にカラーテーブル３２および明度バー３１を表示する。図５において、使用者はディスプレイ１７上にて、明度バー３１内に設けられた明度調節部３１Ａを操作することにより、明度Ｌ＊を指定し、指定された明度Ｌ＊に対応する色（ａ＊ｂ＊の組み合わせ）をａ＊ｂ＊平面上にカラーテーブル３２として表示する。この際、図３のＳ１５２での設定に基づいて、色域３３Ａ、Ｂが表示され、この色域３３Ａ、Ｂの内側の領域にある色であれば、Ｓ１５２にて設定した使用条件で画像形成することにより、色再現することができる。
【００５５】
また、使用者は、の平面で表現されたカラーテーブル３２内の任意の点をキーボード１５、またはマウス１６で選択することにより、描画データを作成する色を選択することができる。
尚、図５に示すのは、図３における色域表示処理にて、２つの識別情報を選択した場合であって、例えば、３つの識別情報を選択していれば、３つの色域３３Ａ〜Ｃ（色域３３Ｃは破線で表示）が表示されることになる。
【００５６】
このように、複数の使用条件に対応した色域３３Ａ〜Ｃを表示するようにすれば、使用者は、選択する色が何れの使用条件で色再現可能かを表示しながら描画データの作成を行うことができる。
また、使用者が選択する色が、何れの使用条件に対応しているのかを明確にできるので、描画したデータに使用された色が各プリンタ（Ａプリンタ１８およびＢプリンタ１９）で色再現される際に、色再現できなくなることを予防することができる。
【００５７】
更に、ある使用条件（使用するプリンタ、使用するインクの種類、および使用する記録媒体等の条件）でのみ再現可能な色を選択することが容易になり、使用条件の特性を活かした画像データの作成が可能になる。
また、ＲＯＭ１２には、プリンタ毎に対応させて識別情報が記憶されていると共に、記録媒体毎の識別情報が記憶されているので、使用者が選択する色に応じて、その色を再現可能な使用条件を容易に選択することができる。
【００５８】
更に、ＲＯＭ１２には、最も色域３３Ａ〜Ｃが大きく、一般的に使用頻度が高い白色の記録媒体に画像形成した際の識別情報が記憶されているので、ＲＯＭ１２に格納した識別情報を有効に使用することができる。
また、ＲＯＭ１２には、用紙等の場合とは色域３３Ａ〜Ｃが異なる布に画像形成した際の識別情報が記憶されているので、布に画像形成する場合でも、忠実に色再現できるカラーテーブル３２を表示することができる。
【００５９】
更に、カラーテーブル３２を表示する際には、使用者が選択した、使用条件に対応した識別情報に基づいて、再現可能な色を識別可能に、カラーテーブル３２を表示するので、使用者は、必要とする情報のみを選択的に画面上に表示しながら、描画データを作成できる。
【００６０】
次に、本実施例（実施例１）における変形例について、以下に説明する。
本実施例（実施例１）のカラーテーブル表示装置１では、図５に示すようにカラーテーブル３２に色域３３Ａ〜Ｃを表示させたが、図６に示すようにカラーテーブル４１を表示させてもよい。
【００６１】
図６に示すカラーテーブル４１では、使用者が選択可能な各色４５を各色４５の領域として表示している。また、使用者が描画データを作成する際に、キーボード１５およびマウス１６を操作することにより移動するポインタ４２（本発明でいうマーク）が、カラーテーブル４１上に位置すると、そのポインタ４２が重ねられた色４４について、何れのプリンタおよびプリンタの使用条件で印刷可能かの再現情報４３を表示し、ポインタ４２が重ねられていない色４５についての再現情報４３は表示しない。そして、使用者の操作によりポインタ４２が移動すれば、その都度、表示させる再現情報４３を切り替えながら表示する。
【００６２】
つまり、この場合、Ｓ１５５（図３参照）にて、カラーテーブル４１は表示するが、再現情報４３は表示せずにＲＡＭ１３に保存しておき、ポインタ４２の移動に応じて、表示させる再現情報４３を呼び出しながら表示するのである。
このようにしても、上述の効果が得られ、特に、図６に示すカラーテーブル４１では、使用者がマウス１６を操作することにより移動するポインタ４２が重ねられた色のみに対して、使用条件に応じて再現可能な色を識別可能に表示するので、使用者が描画データ作成のために選択する色が、何れの使用条件で色再現可能か否かを明確に表示でき、描画データを作成する際の使い勝手が向上する。
【００６３】
また、本実施例（実施例１）のカラーテーブル表示装置１では、ディスプレイ１７にＡプリンタ１８およびＢプリンタ１９の色域３３Ａ〜Ｃを表示させたが、カラーテーブル３２に表示させる色域３３Ａ〜Ｃは、別のディスプレイ１７等の表示装置の色域３３Ａ〜Ｃを表示させてもよい。
【００６４】
また、本実施例（実施例１）のカラーテーブル表示装置１において、カラーテーブル３２を表示する際には、使用者が使用条件を選択し、その選択した使用条件に対応した情報のみをディスプレイ１７に表示させたが、必ずしも使用者が使用条件を選択する必要はなく、ＲＯＭ１２に格納された使用条件に対応した情報を全て表示させてもよい。
【００６５】
更に、本実施例（実施例１）の変形例にて述べたカラーテーブル４１では、マウス１６の操作によりポインタ４２を移動させ、選択する色を指定したが、特に、マウス１６の操作に限らず、例えば、キーボード１５の操作により枠を移動させ、選択する色を移動させるようなものであってもよい。
【００６６】
また、本実施例（実施例１）のカラーテーブル表示装置１では、図３のＳ１５１にて、使用条件を羅列して表示し、その中から使用者にカラーテーブル３２に表示させるプリンタおよび記録媒体を選択させるように構成したが、使用者は記録媒体の色だけを入力し、使用可能なプリンタうち、使用するプリンタ、および記録媒体の種類は、一番色差の小さいものを自動で選択してもよい。
【００６７】
更に、本実施例（実施例１）のカラーテーブル表示装置１では、測色を行う際の表示系として、Ｌ＊ａ＊ｂ＊表示系を用いたが、特にＬ＊ａ＊ｂ＊表示系に限るものではなく、ＸＹＺ表示系や、Ｌ＊ｕ＊ｖ＊表示系であってもよい。
上述の変形例のようにして表示されたカラーテーブルを用いても、選択する色が何れの使用条件で色再現可能かを表示しながら描画データの作成を行うことができる。
【００６８】
また、本実施例では、カラーテーブルの表示はＬ＊ａ＊ｂ＊表示系を用い、Ｌ＊値を指定したが、表示系は、ＨＶＣ（Ｈ：色相、Ｖ：明度、Ｃ：彩度）、ＸＹＺ等でもよく、指定するパラメータも３つの内どれにしてもよい。
〔実施例２〕
次に、本実施例（実施例２）のカラーテーブル表示装置２について説明する。
【００６９】
ここで、実施例１で詳述したカラーテーブル表示装置１と、本実施例（実施例２）のカラーテーブル表示装置２とは、ＲＯＭ１２へ識別情報を記憶させる際の方法、およびカラーテーブル表示処理が異なるのみで、その他の構成は同様である。従って、本実施例のカラーテーブル表示装置２が実施例１のカラーテーブル表示装置１と同様の箇所については、同一の符号を付して説明を省略し、異なる箇所のみについて詳述する。
【００７０】
本実施例（実施例２）のカラーテーブル表示装置２であっても、実施例１のカラーテーブル表示装置１と同様に、使用するプリンタや、プリンタの使用条件によって異なる識別情報は、予めＲＯＭ１２内に格納されているものであるが、カラーテーブル表示装置２における識別情報は、例えば、図７に示すように作成される。ここで、図７は、使用するプリンタや、プリンタの使用条件に対応する識別情報を求める手順の一例を示すフローチャートである。
【００７１】
図７に示すフローチャートは、実施例１で説明した図２に示すフローチャートに対応しており、実施例１では、Ｓ１０３（図２）にて、カラーテーブルの各色について、Ａプリンタ１８が白色の用紙に印刷する際に色域内に入っているか否かを判定した。しかし、本実施例（実施例２）では、図７に示すように、Ｓ１０３（図２）を行わず、Ｓ１０２にて得られた測色値のＬ＊ａ＊ｂ＊表示系での座標を識別情報としてＲＯＭ１２に格納し、識別情報を求める手順を終了する。
【００７２】
次に、カラーテーブル表示処理について図８を用いて説明する。図８は、実施例１で説明したカラーテーブル表示処理（図３）に対応するフローチャートである。
図８に示すカラーテーブル表示処理では、図３のＳ１５３と、Ｓ１５５との間に、Ｓ１５４の処理を新たに設けている。
【００７３】
ここで、図８のＳ１５４の処理は、図２に示すＳ１０４の処理とほぼ同様であって、予めディスプレイ１７の表示色（ＲＧＢ表示系）と、知覚的に均等な表示系（Ｌ＊ａ＊ｂ＊表示系）とが関連付けられたカラーテーブルの各色について、Ａプリンタ１８が白色の用紙に印刷する際に色域内に入っているか否かを判定する。
【００７４】
より具体的には、本実施例では、表示色のＬ＊ａ＊ｂ＊表示系での座標と、識別情報としてＲＯＭ１２に格納された、測色値（Ｌ＊ａ＊ｂ＊表示系）の座標との距離に基づいて判定し、この表示色の座標に最も接近している測色値の座標と、表示色の座標とが一定距離以内ならば、色域３３Ａ〜Ｃ内に入っていると判定する。
【００７５】
つまり、実施例１のカラーテーブル表示装置１では、カラーテーブル３２に表示する各色が、色域３３Ａ〜Ｃ内に入っているか否かを判定し、この結果をＲＯＭ１２に格納しておくのに対して、実施例２のカラーテーブル表示装置２では、表示される識別情報が設定されてから、その設定された識別情報に対して、カラーテーブル３２の各色が、色域３３Ａ〜Ｃ内に入っているか否かを判定する。
【００７６】
このように構成されたカラーテーブル表示装置２であっても、実施例１のカラーテーブル表示装置１で述べた効果が得られると共に、実施例１のカラーテーブル表示装置１で述べた変形例が考えられる。
【図面の簡単な説明】
【図１】カラーテーブル表示装置の概略構成を示すブロック図を示す。
【図２】実施例１の識別情報を求める手順の一例を示すフローチャートである。
【図３】実施例１のカラーテーブル表示処理を示すフローチャートである。
【図４】使用条件を選択する画面表示の一例を示す説明図である。
【図５】カラーテーブルの表示例の一例を示す説明図である。
【図６】カラーテーブルの表示例の変形例を示す説明図である。
【図７】実施例１の識別情報を求める手順の一例を示すフローチャートである。
【図８】実施例１のカラーテーブル表示処理を示すフローチャートである。
【符号の説明】
１、２…カラーテーブル表示装置、１１…ＣＰＵ、１２…ＲＯＭ、１３…ＲＡＭ、１４…入出力インターフェイス、１５…キーボード、１６…マウス、１７…ディスプレイ、１８…Ａプリンタ、１９…Ｂプリンタ、３１…明度バー、３１Ａ…明度調節部、３２…カラーテーブル、３３Ａ〜Ｃ…色域、４１…カラーテーブル、４２…ポインタ、４３…再現情報、４４、４５…色。
【図１】
2004287762.tif 000003
【図２】
2004287762.tif 000004
【図３】
2004287762.tif 000005
【図４】
2004287762.tif 000006
【図５】
2004287762.tif 000007
【図６】
2004287762.tif 000008
【図７】
2004287762.tif 000009
【図８】
2004287762.tif 000010